(57)【要約】【課題】省スペースで複数の規格の電源プラグを変換することができる電源プラグ変換アダプターを提供する。【解決手段】電源プラグ変換アダプター１００は、ソケット面１１６から収容部１１５まで貫通した一対のＢＦタイプソケット孔１２１と、ソケット面１１６から収容部１１５まで貫通した一対のＯタイプソケット孔１２２と、ソケット面１１６から収容部１１５まで貫通した一対のマルチタイプソケット孔１２３と、ソケット面１１６に開口した第１ダミー孔１２４とを含む。第１ダミー孔１２４は、一方のマルチタイプソケット孔１２３と他方のマルチタイプソケット孔１２３との間に位置する。一対のＯタイプソケット孔１２２は、第１方向（ｙ方向）において、一対のマルチタイプソケット孔１２３と一対のＢＦタイプソケット孔１２１との間に位置する。【選択図】図１
2019129008.tif 000002
【特許請求の範囲】
【請求項１】
一対の導電体と、
電気絶縁性の筐体と、
を備え、
前記筐体が、
前記一対の導電体の一部を収容する収容部と、
前記筐体の外部を向いた平面形状のソケット面と、
前記ソケット面から前記収容部まで貫通した一対のＢＦタイプソケット孔と、
前記ソケット面から前記収容部まで貫通した一対のＯタイプソケット孔と、
前記ソケット面から前記収容部まで貫通した一対のマルチタイプソケット孔と、
前記ソケット面に開口した第１ダミー孔と、
を含み、
前記一対のマルチタイプソケット孔の各々が、Ｃタイププラグピンの直径以上の直径をもつ円柱形のプラグピンを受容可能な形状をもち、
前記一対のＢＦタイプソケット孔が、第１方向に沿った仮想中心線に対して線対称に位置し、
前記一対のＯタイプソケット孔が、前記仮想中心線に対して線対称に位置し、
前記一対のマルチタイプソケット孔が、前記仮想中心線に対して線対称に位置し、
前記第１ダミー孔が、ＢＦタイプアースピンを受容可能な形状をもち、
前記第１ダミー孔は、前記一対のＢＦタイプソケット孔が一対のＢＦタイププラグピンを受容したときに前記ＢＦタイプアースピンを受容する位置にあり、
前記第１ダミー孔が、一方の前記マルチタイプソケット孔と他方の前記マルチタイプソケット孔との間に位置し、
前記一対のＯタイプソケット孔が、前記第１方向において、前記一対のＢＦタイプソケット孔と前記第１ダミー孔との間に位置し、
前記一対の導電体の各々が、
前記収容部内において前記ＢＦタイプソケット孔に向いたＢＦタイプソケット端子と、
前記収容部内において前記Ｏタイプソケット孔に向いたＯタイプソケット端子と、
前記収容部内において前記マルチタイプソケット孔に向いたマルチタイプソケット端子と、
前記ＢＦタイプソケット端子と前記Ｏタイプソケット端子と前記マルチタイプソケット端子とに電気的に接続されたＡタイププラグピンと、
を含む、
電源プラグ変換アダプター。
【請求項２】
前記第１ダミー孔が、Ｏ２タイプアースピンを受容可能な形状をもち、
前記第１ダミー孔は、前記一対のＯタイプソケット孔が一対のＯ２タイププラグピンを受容したときに前記Ｏ２タイプアースピンを受容する位置にある、
請求項１に記載の電源プラグ変換アダプター。
【請求項３】
前記一対のマルチタイプソケット孔の各々が、Ｂ３タイププラグピンの直径以上の直径をもつプラグピンを受容可能な形状をもち、
前記筐体が、前記ソケット面に開口した第２ダミー孔をさらに含み、
前記第２ダミー孔が、Ｂ３タイプアースピンを受容可能な形状をもち、
前記第２ダミー孔は、前記一対のマルチタイプソケット孔が一対のＢ３タイププラグピンを受容したときにＢ３タイプアースピンを受容する位置にあり、
前記第２ダミー孔が、一方の前記ＢＦタイプソケット孔と他方の前記ＢＦタイプソケット孔との間に位置する、
請求項１または請求項２に記載の電源プラグ変換アダプター。
【請求項４】
前記一対のＢＦタイプソケット端子の各々が、黄銅を材料とする部材であり、
前記一対のＯタイプソケット端子の各々が、黄銅を材料とする部材であり、
前記一対のマルチタイプソケット端子の各々が、りん青銅を材料とする部材であり、
前記一対のマルチタイプソケット端子の各々が、前記円柱形のプラグピンを受容可能なマルチタイプ間隙を規定する２つのマルチタイプ対向部をもつ板バネであり、
前記円柱形のプラグピンを受容していない状態において、前記マルチタイプ間隙が、４ｍｍ未満であり、
前記一対のマルチタイプソケット端子が弾性変形することにより、前記マルチタイプ間隙を少なくとも４ｍｍから５ｍｍの範囲で変化させる、
請求項１から請求項３のいずれか一項に記載の電源プラグ変換アダプター。
【請求項５】
前記一対の導電体の各々が、前記第１方向と前記第１方向に直交する第２方向とに平行に広がる平板である基部を含み、
前記基部と前記ＢＦタイプソケット端子と前記Ａタイププラグピンとが、一体的に形成された部材であり、
前記Ｏタイプソケット端子が、平板形状のプラグピンを受容可能なＯタイプ間隙を規定する２つのＯ対向部と、前記２つのＯ対向部の間を接続するＯ接続部とを含む板バネであり、
前記Ｏ接続部が、前記第１方向と前記第２方向とに平行に広がる平板であり、
前記基部が、前記筐体の一部に固定され、
前記Ｏ接続部が、前記第１方向と前記第２方向との両方に直交する第３方向において、前記筐体の一部と前記基部との間で前記基部から受ける力により固定された、
請求項１から請求項４のいずれか一項に記載の電源プラグ変換アダプター。
【発明の詳細な説明】
【技術分野】
【０００１】
本発明は、電源プラグ変換アダプターに関するものである。
【背景技術】
【０００２】
海外から日本に訪れる人が増えるなどの理由により、海外から持ち込んだ電気製品を日本国内で使用したいという需要がある。海外から持ち込んだ電気製品の中には、日本の規格とは異なる規格に基づく形状の電源プラグを備えるものが存在する。日本の規格に基づかない電源プラグは、そのままでは日本のコンセントに差し込むことができない。そこで、海外の規格に従った電源プラグを、日本の規格に従った電源プラグに変換する電源プラグ変換アダプターが求められる。
【発明の概要】
【発明が解決しようとする課題】
【０００３】
世界には電源プラグに関する様々な規格が存在する。そのため、例えば、ホテルにおいて、訪れる客の持ち込んだ電気製品の規格に対応できるように、複数種類の電源プラグ変換アダプターを用意しておくことも考えられる。しかし、複数種類の電源プラグ変換アダプターを用意することは、広い場所が必要となり、さらに、管理が煩雑となる。
【０００４】
本発明の一つの目的は、省スペースで複数の規格の電源プラグを変換することができる電源プラグ変換アダプターを提供することである。
【課題を解決するための手段】
【０００５】
本発明の一態様の電源プラグ変換アダプターは、一対の導電体と、電気絶縁性の筐体と、を備え、筐体が、一対の導電体の一部を収容する収容部と、筐体の外部を向いた平面形状のソケット面と、ソケット面から収容部まで貫通した一対のＢＦタイプソケット孔と、ソケット面から収容部まで貫通した一対のＯタイプソケット孔と、ソケット面から収容部まで貫通した一対のマルチタイプソケット孔と、ソケット面に開口した第１ダミー孔と、を含み、一対のマルチタイプソケット孔の各々が、Ｃタイププラグピンの直径以上の直径をもつ円柱形のプラグピンを受容可能な形状をもち、一対のＢＦタイプソケット孔が、第１方向に沿った仮想中心線に対して線対称に位置し、一対のＯタイプソケット孔が、仮想中心線に対して線対称に位置し、一対のマルチタイプソケット孔が、仮想中心線に対して線対称に位置し、第１ダミー孔が、ＢＦタイプアースピンを受容可能な形状をもち、第１ダミー孔は、一対のＢＦタイプソケット孔が一対のＢＦタイププラグピンを受容したときにＢＦタイプアースピンを受容する位置にあり、第１ダミー孔が、一方のマルチタイプソケット孔と他方のマルチタイプソケット孔との間に位置し、一対のＯタイプソケット孔が、第１方向において、一対のＢＦタイプソケット孔と第１ダミー孔との間に位置し、一対の導電体の各々が、収容部内においてＢＦタイプソケット孔に向いたＢＦタイプソケット端子と、収容部内においてＯタイプソケット孔に向いたＯタイプソケット端子と、収容部内においてマルチタイプソケット孔に向いたマルチタイプソケット端子と、ＢＦタイプソケット端子とＯタイプソケット端子とマルチタイプソケット端子とに電気的に接続されたＡタイププラグピンと、を含む。
【０００６】
この一態様の電源プラグ変換アダプターによれば、第１ダミー孔が、一方のマルチタイプソケット孔と他方のマルチタイプソケット孔との間に位置するので、一対のＢＦタイプソケット孔と第１ダミー孔との組み合わせの全体が、一対のマルチタイプソケット孔全体の外部に位置する場合に比べて、電源プラグ変換アダプター全体を省スペース化することができる。
【０００７】
さらに、この一態様の電源プラグ変換アダプターによれば、一対のＯタイプソケット孔が、第１方向において、一対のＢＦタイプソケット孔と第１ダミー孔との間に位置するので、一対のＢＦタイプソケット孔と第１ダミー孔との間のスペースを有効に利用し、電源プラグ変換アダプター全体を省スペース化することができる。
【０００８】
すなわち、この一態様の電源プラグ変換アダプターによれば、省スペースで複数の規格の電源プラグを変換することができる。
【０００９】
好適にはいくつかの態様の電源プラグ変換アダプターにおいて、第１ダミー孔が、Ｏ２タイプアースピンを受容可能な形状をもち、第１ダミー孔は、一対のＯタイプソケット孔が一対のＯ２タイププラグピンを受容したときにＯ２タイプアースピンを受容する位置にある。
【００１０】
この一態様の電源プラグ変換アダプターによれば、第１ダミー孔が、Ｏ２タイプアースピンの受容とＢＦタイプアースピンの受容との両方に兼用されるので、Ｏ２タイプアースピンの受容孔とＢＦタイプアースピンの受容孔とを別々に設ける場合に比べて、省スペースで複数の規格の電源プラグを変換することができる。
【００１１】
好適にはいくつかの態様の電源プラグ変換アダプターにおいて、一対のマルチタイプソケット孔の各々が、Ｂ３タイププラグピンの直径以上の直径をもつプラグピンを受容可能な形状をもち、筐体が、ソケット面に開口した第２ダミー孔をさらに含み、第２ダミー孔が、Ｂ３タイプアースピンを受容可能な形状をもち、第２ダミー孔は、一対のマルチタイプソケット孔が一対のＢ３タイププラグピンを受容したときにＢ３タイプアースピンを受容する位置にあり、第２ダミー孔が、一方のＢＦタイプソケット孔と他方のＢＦタイプソケット孔との間に位置する。
【００１２】
この一態様の電源プラグ変換アダプターによれば、第２ダミー孔が、一方のＢＦタイプソケット孔と他方のＢＦタイプソケット孔との間に位置するので、一対のマルチタイプソケット孔と第２ダミー孔との組み合わせの全体が、一対のマルチタイプソケット孔全体の外部に位置する場合に比べて、電源プラグ変換アダプター全体を省スペース化することができる。
【００１３】
好適にはいくつかの態様の電源プラグ変換アダプターにおいて、一対のＢＦタイプソケット端子の各々が、黄銅を材料とする部材であり、一対のＯタイプソケット端子の各々が、黄銅を材料とする部材であり、一対のマルチタイプソケット端子の各々が、りん青銅を材料とする部材であり、一対のマルチタイプソケット端子の各々が、円柱形のプラグピンを受容可能なマルチタイプ間隙を規定する２つのマルチタイプ対向部をもつ板バネであり、円柱形のプラグピンを受容していない状態において、マルチタイプ間隙が、４ｍｍ未満であり、一対のマルチタイプソケット端子が弾性変形することにより、マルチタイプ間隙を少なくとも４ｍｍから５ｍｍの範囲で変化させる。
【００１４】
この一態様の電源プラグ変換アダプターによれば、黄銅に比べて弾性変形しやすいりん青銅によりマルチタイプソケット端子が形成されているので、マルチタイプソケット端子のマルチタイプ間隙に複数の異なる寸法のプラグピンを挿入した場合でも、塑性変形しにくくすることができる。また、ＢＦタイプソケット端子とＯタイプソケット端子とが黄銅により形成されているので、すべてをりん青銅で形成する場合に比べてコストを減らすことができる。
【００１５】
好適にはいくつかの態様の電源プラグ変換アダプターにおいて、一対の導電体の各々が、第１方向と第１方向に直交する第２方向とに平行に広がる平板である基部を含み、基部とＢＦタイプソケット端子とＡタイププラグピンとが、一体的に形成された部材であり、Ｏタイプソケット端子が、平板形状のプラグピンを受容可能なＯタイプ間隙を規定する２つのＯ対向部と、２つのＯ対向部の間を接続するＯ接続部とを含む板バネであり、Ｏ接続部が、第１方向と第２方向とに平行に広がる平板であり、基部が、筐体の一部に固定され、Ｏ接続部が、第１方向と第２方向との両方に直交する第３方向において、筐体の一部と基部との間で基部から受ける力により固定された。
【００１６】
この一態様の電源プラグ変換アダプターによれば、基部とＢＦタイプソケット端子とＡタイププラグピンとが一体的に形成されるので、強固な構造とすることができる。さらに、Ｏタイプソケット端子を基部、ＢＦタイプソケット端子、およびＡタイププラグピンとは別の部品として、基部と筐体と間に固定するので、Ｏタイププラグピンを抜き差しするときにＯタイプソケット端子に加わる負荷が基部に伝わりにくくすることができ、電源プラグ変換アダプター全体の強度を高めることができる。
【発明の効果】
【００１７】
本発明によれば、省スペースで複数の規格の電源プラグを変換することができる電源プラグ変換アダプターを提供することができる。
【図面の簡単な説明】
【００１８】
【図１】図１Ａは本発明の実施形態に係る電源プラグ変換アダプターの斜視図であり、図１Ｂは図１Ａに示す電源プラグ変換アダプターの正面図である。
【図２】図２Ａは図１Ａに示す電源プラグ変換アダプターの背面図であり、図２Ｂは図１Ａに示す電源プラグ変換アダプターの側面図であり、図２Ｃは図１Ａに示す電源プラグ変換アダプターの平面図である。
【図３】図１Ａに示す電源プラグ変換アダプターの分解斜視図である。
【図４】第１変形例の電源プラグ変換アダプターの正面図である。
【図５】図５Ａは第２変形例の電源プラグ変換アダプターの正面図であり、図５Ｂは第３変形例の電源プラグ変換アダプターの正面図である。
【図６】図６Ａは例示的なＢ３タイププラグの正面図である。図６Ｂは例示的なＳＥタイププラグの正面図である。図６Ｃは例示的なＣタイププラグの正面図である。図６Ｄは例示的なＯタイププラグの正面図である。図６Ｅは例示的なＯ２タイププラグの正面図である。図６Ｆは例示的なＢＦタイププラグの正面図である。
【発明を実施するための形態】
【００１９】
（全体構成）
以下、本発明の実施形態に係る電源プラグ変換アダプター（以下、アダプターと呼ぶ場合がある）について説明する。図１Ａは、アダプター１００の斜視図である。
【００２０】
本明細書において、互いに直交するｘ方向（第２方向とも呼ばれる）、ｙ方向（第１方向とも呼ばれる）、及びｚ方向（第３方向とも呼ばれる）を規定する。ｘ方向は、互いに逆を向くｘ１方向とｘ２方向とを区別せずに表す。ｙ方向は互いに逆を向くｙ１方向とｙ２方向とを区別せずに表す。ｚ方向は互いに逆を向くｚ１方向とｚ２方向とを区別せずに表す。これらの方向は、相対的な位置関係を説明するために便宜上規定するのであって、実際の使用時の方向を限定するわけではない。構成要素の形状は、「略」という記載があるかないかにかかわらず、本明細書で開示された実施形態の技術思想が実現される限り、記載された表現に基づく厳密な幾何学的な形状に限定されない。
【００２１】
アダプター１００は、世界各国の様々な規格に基づく電源プラグを、日本の規格に基づく電源プラグに変換する。アダプター１００を使用することにより、様々な規格に基づく電源プラグを備える様々な電気製品が、日本の規格に基づく電源ソケットから給電可能となる。アダプター１００で使用可能な変換元の電源プラグとして、例えば、Ｂ３タイププラグ、ＳＥタイププラグ、Ｃタイププラグ、Ｏタイププラグ、およびＢＦタイププラグが挙げられる。
【００２２】
図６Ａは、例示的なＢ３タイププラグ５１０の正面図である。Ｂ３タイププラグ５１０は、いずれもｘｙ平面に垂直に延びた円柱形状の一対のＢ３タイププラグピン５１１（直径５ｍｍ）と円柱形状のＢ３タイプアースピン５１２（直径７ｍｍ）とを含む。一対のＢ３タイププラグピン５１１とＢ３タイプアースピン５１２とは、二等辺三角形の頂点に配置される。Ｂ３タイププラグ５１０は、アラブ首長国連邦、インド、インドネシア、エジプト、シンガポール、バリ島、マレーシアなどで使用される。
【００２３】
図６Ｂは、例示的なＳＥタイププラグ５２０の正面図である。ＳＥタイププラグ５２０は、ｘｙ平面に垂直に延びた円柱形状の一対のＳＥタイププラグピン５２１（直径４．８ｍｍ）を含む。ＳＥタイププラグ５２０は、インドネシア、オーストリア、スウェーデン、ドイツ、フランス、ベルギーなどで使用される。
【００２４】
図６Ｃは、例示的なＣタイププラグ５３０の正面図である。Ｃタイププラグ５３０は、ｘｙ平面に垂直に延びた円柱形状の一対のＣタイププラグピン５３１（直径４ｍｍ）を含む。Ｃタイププラグ５３０は、アルゼンチン、アイルランド、イタリア、オーストリア、スイス、スペイン、マレーシアなどで使用される。
【００２５】
図６Ｄは、例示的なＯタイププラグ５４０の正面図である。Ｏタイププラグ５４０は、ｘｙ平面に垂直に延びた平板形状の一対のＯタイププラグピン５４１（厚さ１．６ｍｍ、長さ６．３ｍｍ）を含む。一対のＯタイププラグピン５４１は、ｙ２側からｙ１側に向かって徐々に間隔が広がる。Ｏタイププラグ５４０は、オーストラリア、中国、ニュージーランド、パプアニューギニア、フィリピンなどで使用される。
【００２６】
図６Ｅは、例示的なＯ２タイププラグ５５０の正面図である。Ｏ２タイププラグ５５０は、いずれもｘｙ平面に垂直に延びた平板形状の一対のＯ２タイププラグピン５５１と平板形状のＯ２タイプアースピン５５２（ｘ方向の厚さ１．６ｍｍ、ｙ方向の長さ６．３ｍｍ）とを含む。
【００２７】
各Ｏ２タイププラグピン５５１は、Ｏ２タイプアースピン５５２を回転して得られる形状をもつ。一対のＯ２タイププラグピン５５１は、図６Ｄに示す一対のＯタイププラグピン５４１と同じ形状である。一対のＯ２タイププラグピン５５１とＯ２タイプアースピン５５２とは、二等辺三角形の頂点に配置される。Ｏ２タイプアースピン５５２は、一対のＯ２タイププラグピン５５１のｙ１側に位置する。Ｏ２タイププラグ５５０は、中国などで使用される。Ｏ２タイプアースピン５５２は、アースとして機能する他、シャッターの開閉にも使用される。Ｏ２タイププラグ５５０は、Ｏタイププラグの分類にも含まれる。
【００２８】
図６Ｆは、例示的なＢＦタイププラグ５６０の正面図である。ＢＦタイププラグ５６０は、いずれもｘｙ平面に垂直に延びた平板形状の一対のＢＦタイププラグピン５６１（ｘ方向の長さ６．３ｍｍ、ｙ方向の厚さ４ｍｍ）と平板形状のＢＦタイプアースピン５６２（ｙ方向の長さ８ｍｍ、ｘ方向の厚さ４ｍｍ）とを含む。一対のＢＦタイププラグピン５６１とＢＦタイプアースピン５６２とは、二等辺三角形の頂点に配置される。ＢＦタイププラグ５６０は、アルゼンチン、イギリス、インド、ジャマイカ、シンガポール、タイ、香港、マレーシアなどで使用される。
【００２９】
図１Ｂは、アダプター１００の正面図である。図２Ａは、アダプター１００の背面図である。図２Ｂは、ｘ１方向に見たアダプター１００の側面図である。図２Ｃは、ｙ２方向に見たアダプター１００の平面図である。図３は、アダプター１００の分解斜視図である。  
【００３０】
図１Ａに示すように、アダプター１００は、電気絶縁性の筐体１１０と、一対の導電体１５０とを含む。図３に示すように、アダプター１００は、第１内部ねじ１９０−１と第２内部ねじ１９０−２と外部ねじ１９１とをさらに含む。
【００３１】
（筐体）
図１Ａに示すように、筐体１１０の外形は、全体として直方体形状に類似する。図２Ａに示すように、筐体１１０は、主筐体１１１と副筐体１１２とを含む。後述の主筐体１１１の構成要素は、全体として一体的に形成される。
【００３２】
図１Ａに示すように、主筐体１１１は、ｘｙ平面に平行に広がる板状の前壁１１３を含む。図１Ｂに示すように、ｚ２方向に見たとき、前壁１１３は概ね、ｘ方向に延びた２辺とｙ方向に延びた２辺とをもつ正方形である。前壁１１３の角は丸みを帯びている。
【００３３】
図１Ａに示すように、主筐体１１１は、前壁１１３の外周縁部からｚ２方向に延びた中空の四角柱状の側壁１１４を含む。図２Ａに示すように、側壁１１４のｚ２側端部は、ｚ１方向に見たとき、概ね、ｘ方向に延びた２辺とｙ方向に延びた２辺とをもつ正方形である。図３に示すように、側壁１１４の内側に、一対の導電体１５０の一部を収容する収容部１１５と呼ばれる空間が規定される。
【００３４】
図１Ｂに示すように、前壁１１３は、ｚ１側に、筐体１１０の外部を向いて、ｘｙ平面に平行な平面形状のソケット面１１６をもつ。ｚ２方向に見たとき、ソケット面１１６は、ｙ方向に平行な仮想中心線１１７に対して線対称である。
【００３５】
筐体１１０は、ソケット面１１６から収容部１１５（図３）まで貫通した一対のＢＦタイプソケット孔１２１（一方を第１ＢＦ孔１２１−１と呼び、他方を第２ＢＦ孔１２１−２と呼び、両者を区別せずにＢＦ孔１２１と呼ぶ場合がある）と、ソケット面１１６から収容部１１５（図３）まで貫通した一対のＯタイプソケット孔１２２（一方を第１Ｏ孔１２２−１と呼び、他方を第２Ｏ孔１２２−２と呼び、両者を区別せずにＯ孔１２２と呼ぶ場合がある）と、ソケット面１１６から収容部１１５（図３）まで貫通した一対のマルチタイプソケット孔１２３（一方を第１Ｍ孔１２３−１と呼び、他方を第２Ｍ孔１２３−２と呼び、両者を区別せずにＭ孔１２３と呼ぶ場合がある）と、ソケット面１１６に開口した第１ダミー孔１２４と、ソケット面１１６に開口した第２ダミー孔１２５とを含む。
【００３６】
一対のＢＦ孔１２１と一対のＯ孔１２２と一対のＭ孔１２３とが、ｙ２側からｙ１側に向かって順に並ぶ。すなわち、一対のＯ孔１２２が、ｙ方向において、一対のＭ孔１２３と一対のＢＦ孔１２１との間に位置する。
【００３７】
図１Ｂに示すようにｚ２方向に見たとき、一対のＢＦ孔１２１の位置および形状は、仮想中心線１１７に対して線対称である。ｘ１側からｘ２側に向けて、第１ＢＦ孔１２１−１と第２ＢＦ孔１２１−２とが順に位置する。ｘｙ平面に平行な断面において、２つのＢＦ孔１２１はいずれも、ｘ方向に平行な２つの長辺とｙに平行な２つの短辺とをもつ長方形であり、ＢＦタイププラグピン５６１の断面よりわずかに大きい（ｘ方向の長さ７ｍｍ、ｙ方向の幅４．６ｍｍ）。ＢＦ孔１２１は、ｚ方向に直線的に延びる。一対のＢＦ孔１２１は、一対のＢＦタイププラグピン５６１を受容可能である。
【００３８】
図１Ｂに示すようにｚ２方向に見たとき、一対のＯ孔１２２の位置および形状は、仮想中心線１１７に対して線対称である。ｘ１側からｘ２側に向けて、第１Ｏ孔１２２−１と第２Ｏ孔１２２−２とが順に位置する。ｘｙ平面に平行な断面において、一対のＯ孔１２２はいずれも、４つの辺がｘ方向とｙ方向とのいずれにも平行ではない長方形であり、Ｏタイププラグピン５４１の断面よりわずかに大きい（長さ７ｍｍ、幅２ｍｍ）。一対のＯ孔１２２の間隔は、ｙ２側からｙ１側に向けて徐々に広がる。Ｏ孔１２２は、ｚ方向に直線的に延びる。一対のＯ孔１２２は、一対のＯタイププラグピン５４１を受容可能である。
【００３９】
図１Ｂに示すようにｚ２方向に見たとき、一対のＭ孔１２３の位置および形状は、仮想中心線１１７に対して線対称である。ｘ１側からｘ２側に向けて、第１Ｍ孔１２３−１と第２Ｍ孔１２３−２とが順に位置する。ｘｙ平面に平行な断面において、一対のＭ孔１２３はいずれも円形状をしている。Ｍ孔１２３は、ｚ方向に直線的に延びる。
【００４０】
一対のＭ孔１２３の各々が、Ｃタイププラグピン５３１（直径４ｍｍ）、ＳＥタイププラグピン５２１（直径４．８ｍｍ）、およびＢ３タイププラグピン５１１（直径５ｍｍ）の直径以上の直径をもつ円柱形のプラグピンを受容可能である（直径５．６ｍｍ）。本実施形態における一対のＭ孔１２３の各々は、直径５ｍｍの円柱形のプラグピンを受容可能な大きさをもつ。すなわち、一対のＭ孔１２３は、一対のＣタイププラグピン５３１、一対のＳＥタイププラグピン５２１、および一対のＢ３タイププラグピン５１１のすべてを受容可能である。
【００４１】
図１Ｂに示すように、第１ダミー孔１２４は、ｘ方向において第１Ｍ孔１２３−１と第２Ｍ孔１２３−２との間に位置する。第１ダミー孔１２４は、ＢＦタイプアースピン５６２とＯタイプアースピンとの両方を受容可能な形状をもつ。すなわち、ｘｙ平面に平行な断面において、第１ダミー孔１２４は、ｘ方向に平行な２つの短辺とｙ方向に平行な２つの長辺とをもつ長方形である（ｘ方向の幅４．６ｍｍ、ｙ方向の長さ８．６ｍｍ）。第１ダミー孔１２４のｘ方向の中心は、仮想中心線１１７上に位置する。
【００４２】
第１ダミー孔１２４と一対のＢＦ孔１２１とが、三角形の頂点に配置される。第１ダミー孔１２４は、一対のＢＦ孔１２１が一対のＢＦタイププラグピン５６１を受容したときにＢＦタイプアースピン５６２を受容する位置にある。第１ダミー孔１２４は、ｚ方向に直線的に延びる。第１ダミー孔１２４は、一対のＯ孔１２２が一対のＯ２タイププラグピン５５１を受容したときにＯ２タイプアースピン５５２を受容する位置にある。
【００４３】
図１Ｂに示すように、第２ダミー孔１２５は、ｘ方向において第１ＢＦ孔１２１−１と第２ＢＦ孔１２１−２との間に位置する。第２ダミー孔１２５は、Ｂ３タイプアースピン５１２を受容可能な形状をもつ。すなわち、ｘｙ平面に平行な断面において、第２ダミー孔１２５は、円形である（直径８ｍｍ）。第２ダミー孔１２５のｘ方向の中心は、仮想中心線１１７上に位置する。
【００４４】
第２ダミー孔１２５と一対のＭ孔１２３とが、三角形の頂点に配置される。第２ダミー孔１２５は、一対のＭ孔１２３が一対のＢ３タイププラグピン５１１を受容したときにＢ３タイプアースピン５１２を受容する位置にある。第２ダミー孔１２５は、ｚ方向に直線的に延びる。
【００４５】
図３に示すように、副筐体１１２は、ｘｙ平面に平行に広がる板状である。図２Ａに示すように、ｚ１方向に見たとき、副筐体１１２は概ね、ｘ方向に延びた２辺とｙ方向に延びた２辺とをもつ正方形である。副筐体１１２の角は丸みを帯びている。副筐体１１２は、主筐体１１１の側壁１１４のｚ２側端部の内側に密接する。図３に示すように、主筐体１１１と副筐体１１２との間に、直方体の収容部１１５が規定される。
【００４６】
図３に示すように、副筐体１１２には、副筐体１１２をｚ方向に貫通した一対のＡタイプ孔１１８が設けられている。一対のＡタイプ孔１１８は、ｘ方向に離間している。副筐体１１２には、ｘ方向における一対のＡタイプ孔１１８の間に、副筐体１１２をｚ方向に貫通した外部ねじ孔１１９が設けられている。
【００４７】
図３に示すように、主筐体１１１は、収容部１１５内に第１案内柱１３１と第２案内柱１３２とをさらに含む。第１案内柱１３１と第２案内柱１３２とはいずれも、図１Ａに示す前壁１１３の内側に固定され、前壁１１３の内側から副筐体１１２の内側までｚ２方向に延びる。図１Ｂに示す第１ダミー孔１２４はソケット面１１６から、図３に示すように、第１案内柱１３１を貫通して延びる。図１Ｂに示す第２ダミー孔１２５はソケット面１１６から、図３に示すように、第２案内柱１３２を貫通して延びる。
【００４８】
図３に示すように、主筐体１１１は、収容部１１５内に第１支持柱１３３−１と第２支持柱１３３−２とをさらに含む。第１支持柱１３３−１と第２支持柱１３３−２とはいずれも、図１Ａに示す前壁１１３の内側に固定され、前壁１１３の内側から副筐体１１２の内側までｚ２方向に延びる。図３に示すように、第１支持柱１３３−１と第２支持柱１３３−２とは、図１Ｂに示す仮想中心線１１７を通りｙｚ平面に平行な仮想中心面に対して面対称な構造をもつ。
【００４９】
（導電体）
図３に示すように、一対の導電体１５０の一方を第１導電体１５０−１と呼び、他方を第２導電体１５０−２と呼び、両者を区別せずに導電体１５０と呼ぶ場合がある。第１導電体１５０−１と第２導電体１５０−２とは、ｘ１側からｘ２側に向けて順に位置する。第１導電体１５０−１と第２導電体１５０−２とは、図１Ｂに示す仮想中心線１１７を通りｙｚ平面に平行な仮想中心面に対して面対称な構造をもつ。
【００５０】
以下、第１導電体１５０−１について詳細に説明するが、第２導電体１５０−２も同様の構成要素をもつ。第１導電体１５０−１の各構成要素に対応する、第２導電体１５０−２の各構成要素の名称は、構成要素名の「第１」を「第２」と読み替え、さらに、末尾の「−１」を「−２」と読み替えることで得られる。第１導電体１５０−１と第２導電体１５０−２との対応する構成要素を区別せずに参照するときは、頭の「第１」および「第２」と、末尾の「−１」および「−２」を削除する。第１導電体１５０−１と第２導電体１５０−２との対応する構成要素をまとめて参照するときは、頭に「一対の」を付加する。
【００５１】
第１導電体１５０−１は、第１主導電体１５１−１と第１マルチタイプソケット端子１５２−１（以下、第１Ｍ端子１５２−１と呼ぶ場合がある）と第１Ｏタイプソケット端子１５３−１（以下、第１Ｏ端子１５３−１と呼ぶ場合がある）とを含む。
【００５２】
第１主導電体１５１−１は、ｘｙ平面に平行に広がる平板である第１基部１６０−１と、第１基部１６０−１からｚ２方向に延びた第１Ａタイププラグピン１６１−１（以下、第１Ａピン１６１−１と呼ぶ場合がある）と、第１基部１６０−１からｚ１方向に延びた第１ＢＦタイプソケット端子１６２−１（以下、第１ＢＦ端子１６２−１と呼ぶ場合がある）とを含む。第１基部１６０−１と第１ＢＦ端子１６２−１と第１Ａピン１６１−１とは、黄銅を材料として、一体的に形成された部材である。
【００５３】
第１基部１６０−１は、ｙ方向に長尺である。第１基部１６０−１のｘ２側の縁部におけるｙ方向中央付近に、第１Ａピン１６１−１のｚ１側端部が接続される。第１Ａピン１６１−１は、ｙｚ平面に平行な板状である。第１基部１６０−１のｙ方向中央付近に、第１基部１６０−１をｚ方向に貫通した第１主ねじ孔１６３−１が設けられている。
【００５４】
第１基部１６０−１のｙ２側端部に、第１ＢＦ端子１６２−１のｚ２側端部が接続される。第１ＢＦ端子１６２−１は、概ねｚ１方向に線状に延びた２つの第１ＢＦ対向部１６４−１を含む。２つの第１ＢＦ対向部１６４−１は、ＢＦタイププラグピン５６１を受容可能な、ｙ方向の第１ＢＦ間隙１６５−１を規定する。２つの第１ＢＦ対向部１６４−１は、ｙ方向に対向し、ｚ１方向に開いている。
【００５５】
２つの第１ＢＦ対向部１６４−１は、ｙ方向に弾性的に変形して、ＢＦタイププラグピン５６１をｚ方向に抜き差し可能である。ＢＦタイププラグピン５６１を受容していない状態において、第１ＢＦ間隙１６５−１は、４ｍｍ未満である。第１ＢＦ端子１６２−１は、少なくとも第１ＢＦ間隙１６５−１が最大４ｍｍとなるまで弾性変形可能である。
【００５６】
第１Ｍ端子１５２−１は、円柱形のプラグピンを受容可能な、ｙ方向の第１マルチタイプ間隙１７１−１を規定する２つの第１マルチタイプ対向部１７２−１と、２つの第１マルチタイプ対向部１７２−１を接続する第１Ｍ接続部１７３−１とを含む板バネである。第１Ｍ端子１５２−１は、りん青銅を材料とする。２つの第１マルチタイプ対向部１７２−１は、概ねｚ１方向に延びる。第１Ｍ接続部１７３−１は、ｘｙ平面に平行に広がる平板であり、２つの第１マルチタイプ対向部１７２−１のｚ２側端部をｙ方向に接続する。２つの第１マルチタイプ対向部１７２−１は、ｙ方向に対向した板状部材であり、ｚ１方向に開いている。
【００５７】
第１Ｍ端子１５２−１は、２つの第１マルチタイプ対向部１７２−１をｙ方向に弾性的に変形させることにより、Ｃタイププラグピン５３１とＳＥタイププラグピン５２１とＢ３タイププラグピン５１１とをｚ方向に抜き差し可能である。円柱形のプラグピンを受容していない状態において、第１マルチタイプ間隙１７１−１の大きさは、４ｍｍ未満である。２つの第１Ｍ端子１５２−１は、第１マルチタイプ間隙１７１−１の大きさを少なくとも４ｍｍから５ｍｍの範囲で変えながら、弾性変形可能である。第１Ｍ接続部１７３−１のｚ２側の面が、第１基部１６０−１のｚ１側の面におけるｙ１端部に密着して動かないように固定される。
【００５８】
第１Ｏ端子１５３−１は、平板形状のプラグピンを受容可能な（ｘ１方向とｙ２方向との間の方向に開閉する）第１Ｏタイプ間隙１８１−１を規定する２つの第１Ｏ対向部１８２−１と、２つの第１Ｏ対向部１８２−１を接続する第１Ｏ接続部１８３−１とを含む板バネである。第１Ｏ端子１５３−１は、黄銅を材料とする。２つの第１Ｏ対向部１８２−１は、概ねｚ１方向に延びる。第１Ｏ接続部１８３−１は、ｘｙ平面に平行に広がる平板であり、２つの第１Ｏ対向部１８２−１のｚ２側端部を接続する。第１Ｏ接続部１８３−１のうち、ｘ１方向とｙ１方向との間の方向の端部に、ｚ方向に貫通した第１副ねじ孔１８４−１が設けられている。
【００５９】
２つの第１Ｏ対向部１８２−１は、ｘ１方向とｙ２方向との間の方向に対向した板状部材であり、ｚ１方向に開いている。第１Ｏ端子１５３−１は、２つの第１Ｏ対向部１８２−１を概ねｘ１方向とｙ２方向との間の方向に沿って弾性的に変形させることにより、Ｏタイププラグピン５４１をｚ方向に抜き差し可能である。平板形状のプラグピンを受容していない状態において、第１Ｏタイプ間隙１８１−１の大きさは、約０ｍｍである。２つの第１Ｏ端子１５３−１は、第１Ｏタイプ間隙１８１−１の大きさを少なくとも０ｍｍから１．６ｍｍの範囲で変化させながら、弾性変形可能である。
【００６０】
図３に示すように、第１内部ねじ１９０−１は、第１主導電体１５１−１の第１主ねじ孔１６３−１と、第１Ｏ端子１５３−１の第１副ねじ孔１８４−１とを通って、主筐体１１１の第１支持柱１３３−１のｚ２側端部に設けられたねじ孔に固定される。第１基部１６０−１は、主筐体１１１の一部である第１支持柱１３３−１に対して動かないように固定される。第１基部１６０−１が第１Ａピン１６１−１に近い位置で固定されるので、第１Ａピン１６１−１に負荷がかかっても第１基部１６０−１が変形および移動しにくい。
【００６１】
第１Ｏ端子１５３−１の第１Ｏ接続部１８３−１は、第１主導電体１５１−１の第１基部１６０−１と主筐体１１１の第１支持柱１３３−１との間において、第１基部１６０−１から受ける力により密着して動かないように固定される。第１Ｏ接続部１８３−１のｚ２側の面が、第１基部１６０−１のｚ１側の面に密着して固定される。結果として、第１Ｍ端子１５２−１と第１Ｏ端子１５３−１と第１Ａピン１６１−１と第１ＢＦ端子１６２−１とが、相互に電気的に接続される。
【００６２】
図１Ｂに示すように、収容部１１５（図３）内において、第１ＢＦ端子１６２−１は第１ＢＦ孔１２１−１に向く。すなわち、ｚ２方向に見たとき、第１ＢＦ間隙１６５−１が、第１ＢＦ孔１２１−１を通して外部に露出される。収容部１１５（図３）内において、第１Ｏ端子１５３−１は、第１Ｏ孔１２２−１に向く。すなわち、ｚ２方向に見たとき、第１Ｏタイプ間隙１８１−１が、第１Ｏ孔１２２−１を通して外部に露出される。収容部１１５（図３）内において、第１Ｍ端子１５２−１は、第１Ｍ孔１２３−１に向く。すなわち、ｚ２方向に見たとき、第１マルチタイプ間隙１７１−１が、第１Ｍ孔１２３−１を通して外部に露出される。
【００６３】
同様に、収容部１１５（図３）内において、第２ＢＦ端子１６２−２は第２ＢＦ孔１２１−２に向く。第２Ｏ端子１５３−２は、第２Ｏ孔１２２−２に向く。第２Ｍ端子１５２−２は、第２Ｍ孔１２３−２に向く。
【００６４】
図２Ａに示すように、副筐体１１２の外部ねじ孔１１９（図３）を通して、外部ねじ１９１により外部ねじ１９１を主筐体１１１に固定した状態において、第１Ａピン１６１−１と第２Ａピン１６１−２とが、一対のＡタイプ孔１１８を通って外部に延びる。
【００６５】
（変形例）
図４の正面図に第１変形例のアダプター２００を示す。図５Ａの正面図に第２変形例のアダプター３００を示す。図５Ｂの正面図に第３変形例のアダプター４００を示す。図１〜図３に示す前述のアダプター１００は、各構成要素の百の位が１で表されている。同様に、第１〜第３変形例における各構成要素は、それぞれ、百の位が２〜４で表されている。別段断りのない限り、異なる実施形態において百の位のみが異なる構成要素は、それぞれ、同様の構成要素を表す。
【００６６】
（第１変形例）
図４に示すように、第１変形例のアダプター２００には、図１Ｂに示す第２ダミー孔１２５が設けられていない。第１変形例のアダプター２００は、Ｂ３タイププラグ５１０のＢ３タイプアースピン５１２を受容する部位をもたない。
【００６７】
一対のＭ孔２２３の各々および一対のＭ端子２５２の各々が、Ｃタイププラグピン５３１（直径４ｍｍ）、およびＳＥタイププラグピン５２１（直径４．８ｍｍ）の直径以上の直径をもつ円柱形のプラグピンを受容可能である。本実施形態における一対のＭ孔２２３の各々および一対のＭ端子２５２の各々は、直径４．８ｍｍの円柱形のプラグピンを受容可能な大きさをもつ。すなわち、一対のＭ孔２２３の各々および一対のＭ端子２５２の各々は、一対のＣタイププラグピン５３１、および一対のＳＥタイププラグピン５２１を受容可能である。
【００６８】
（第２変形例）
図５Ａに示すように、第２変形例のアダプター３００において、一対のＯ孔３２２の間隔は、ｙ１側からｙ２側に向けて徐々に広がる。すなわち、第２変形例のアダプター３００の一対のＯ孔３２２は、図１Ｂに示す前述のアダプター１００の一対のＯ孔１２２を１８０度回転させた形状をもつ。第１Ｏ端子３５３−１の第１Ｏタイプ間隙３８１−１は、概ねｘ１方向とｙ１方向との間の方向に開閉する。第２Ｏ端子３５３−２の第２Ｏタイプ間隙３８１−２、概ねｘ１方向とｙ２方向との間の方向に開閉する。
【００６９】
第１ダミー孔３２４は、Ｏ２タイプアースピン５５２を受容するものではない。第２変形例のアダプター３００は、Ｏタイププラグ５４０のうち、アースピンをもたないプラグには対応するが、Ｏ２タイプアースピン５５２をもつＯ２タイププラグ５５０に対応するとは限らない。
【００７０】
（第３変形例）
図５Ｂに示すように、第３変形例のアダプター４００には、第１変形例（図４）と同様に、図１Ｂに示す第２ダミー孔１２５が設けられていない。第３変形例のアダプター４００は、Ｂ３タイププラグ５１０のＢ３タイプアースピン５１２を受容する部位をもたない。一対のＭ孔４２３の各々および一対のＭ端子４５２の各々の大きさは、第１変形例（図４）と同様である。
【００７１】
第３変形例のアダプター４００の一対のＯ孔４２２および一対のＯ端子４５３の位置および形状は、図５Ａに示す第２変形例における一対のＯ孔４２２および一対のＯ端子４５３の位置および形状と同じである。第３変形例のアダプター４００は、第３変形例と同様に、Ｏ２タイププラグ５５０には対応するとは限らない。
【００７２】
（まとめ）
本発明の一態様の電源プラグ変換アダプター１００は、一対の導電体１５０と、電気絶縁性の筐体１１０と、を備え、筐体１１０が、一対の導電体１５０の一部を収容する収容部１１５と、筐体１１０の外部を向いた平面形状のソケット面１１６と、ソケット面１１６から収容部１１５まで貫通した一対のＢＦタイプソケット孔１２１と、ソケット面１１６から収容部１１５まで貫通した一対のＯタイプソケット孔１２２と、ソケット面１１６から収容部１１５まで貫通した一対のマルチタイプソケット孔１２３と、ソケット面１１６に開口した第１ダミー孔１２４と、を含み、一対のマルチタイプソケット孔１２３の各々が、Ｃタイププラグピン５３１の直径以上の直径をもつ円柱形のプラグピンを受容可能な形状をもち、一対のＢＦタイプソケット孔１２１が、第１方向（ｙ方向）に沿った仮想中心線１１７に対して線対称に位置し、一対のＯタイプソケット孔１２２が、仮想中心線１１７に対して線対称に位置し、一対のマルチタイプソケット孔１２３が、仮想中心線１１７に対して線対称に位置し、第１ダミー孔１２４が、ＢＦタイプアースピン５６２を受容可能な形状をもち、第１ダミー孔１２４は、一対のＢＦタイプソケット孔１２１が一対のＢＦタイププラグピン５６１を受容したときにＢＦタイプアースピン５６２を受容する位置にあり、第１ダミー孔１２４が、一方のマルチタイプソケット孔１２３と他方のマルチタイプソケット孔１２３との間に位置し、一対のＯタイプソケット孔１２２が、第１方向（ｙ方向）において、一対のＢＦタイプソケット孔１２１と第１ダミー孔１２４との間に位置し、一対の導電体１５０の各々が、収容部１１５内においてＢＦタイプソケット孔１２１に向いたＢＦタイプソケット端子１６２と、収容部１１５内においてＯタイプソケット孔１２２に向いたＯタイプソケット端子１５３と、収容部１１５内においてマルチタイプソケット孔１２３に向いたマルチタイプソケット端子１５２と、ＢＦタイプソケット端子１６２とＯタイプソケット端子１５３とマルチタイプソケット端子１５２とに電気的に接続されたＡタイププラグピン１６１と、を含む。
【００７３】
この一態様の電源プラグ変換アダプター１００によれば、第１ダミー孔１２４が、一方のマルチタイプソケット孔１２３と他方のマルチタイプソケット孔１２３との間に位置するので、一対のＢＦタイプソケット孔１２１と第１ダミー孔１２４との組み合わせの全体が、一対のマルチタイプソケット孔１２３全体の外部に位置する場合に比べて、電源プラグ変換アダプター１００全体を省スペース化することができる。
【００７４】
さらに、この一態様の電源プラグ変換アダプター１００によれば、一対のＯタイプソケット孔１２２が、第１方向（ｙ方向）において、一対のＢＦタイプソケット孔１２１と第１ダミー孔１２４との間に位置するので、一対のＢＦタイプソケット孔１２１と第１ダミー孔１２４との間のスペースを有効に利用し、電源プラグ変換アダプター１００全体を省スペース化することができる。
【００７５】
すなわち、この一態様の電源プラグ変換アダプター１００によれば、省スペースで複数の規格の電源プラグを変換することができる。
【００７６】
好適にはいくつかの態様の電源プラグ変換アダプター１００において、第１ダミー孔１２４が、Ｏ２タイプアースピン５５２を受容可能な形状をもち、第１ダミー孔１２４は、一対のＯタイプソケット孔１２２が一対のＯ２タイププラグピン５５１を受容したときにＯ２タイプアースピン５５２を受容する位置にある。
【００７７】
この一態様の電源プラグ変換アダプター１００によれば、第１ダミー孔１２４が、Ｏ２タイプアースピン５５２の受容とＢＦタイプアースピン５６２の受容との両方に兼用されるので、Ｏ２タイプアースピン５５２の受容孔とＢＦタイプアースピン５６２の受容孔とを別々に設ける場合に比べて、省スペースで複数の規格の電源プラグを変換することができる。
【００７８】
好適にはいくつかの態様の電源プラグ変換アダプター１００において、一対のマルチタイプソケット孔１２３の各々が、Ｂ３タイププラグピン５１１の直径以上の直径をもつプラグピンを受容可能な形状をもち、筐体１１０が、ソケット面１１６に開口した第２ダミー孔１２５をさらに含み、第２ダミー孔１２５が、Ｂ３タイプアースピン５１２を受容可能な形状をもち、第２ダミー孔１２５は、一対のマルチタイプソケット孔１２３が一対のＢ３タイププラグピン５１１を受容したときにＢ３タイプアースピン５１２を受容する位置にあり、第２ダミー孔１２５が、一方のＢＦタイプソケット孔１２１と他方のＢＦタイプソケット孔１２１との間に位置する。
【００７９】
この一態様の電源プラグ変換アダプター１００によれば、第２ダミー孔１２５が、一方のＢＦタイプソケット孔１２１と他方のＢＦタイプソケット孔１２１との間に位置するので、一対のマルチタイプソケット孔１２３と第２ダミー孔１２５との組み合わせの全体が、一対のマルチタイプソケット孔１２３全体の外部に位置する場合に比べて、電源プラグ変換アダプター１００全体を省スペース化することができる。
【００８０】
好適にはいくつかの態様の電源プラグ変換アダプター１００において、一対のＢＦタイプソケット端子１６２の各々が、黄銅を材料とする部材であり、一対のＯタイプソケット端子１５３の各々が、黄銅を材料とする部材であり、一対のマルチタイプソケット端子１５２の各々が、りん青銅を材料とする部材であり、一対のマルチタイプソケット端子１５２の各々が、円柱形のプラグピンを受容可能なマルチタイプ間隙１７１を規定する２つのマルチタイプ対向部１７２をもつ板バネであり、円柱形のプラグピンを受容していない状態において、マルチタイプ間隙１７１が、４ｍｍ未満であり、一対のマルチタイプソケット端子１５２が弾性変形することにより、マルチタイプ間隙１７１を少なくとも４ｍｍから５ｍｍの範囲で変化させる。
【００８１】
この一態様の電源プラグ変換アダプター１００によれば、黄銅に比べて弾性変形しやすいりん青銅によりマルチタイプソケット端子１５２が形成されているので、マルチタイプソケット端子１５２のマルチタイプ間隙１７１に複数の異なる寸法のプラグピンを挿入した場合でも、塑性変形しにくくすることができる。また、ＢＦタイプソケット端子１６２とＯタイプソケット端子１５３とが黄銅により形成されているので、すべてをりん青銅で形成する場合に比べてコストを減らすことができる。
【００８２】
好適にはいくつかの態様の電源プラグ変換アダプター１００において、一対の導電体１５０の各々が、第１方向（ｙ方向）と第１方向（ｙ方向）に直交する第２方向（ｘ方向）とに平行に広がる平板である基部１６０を含み、基部１６０とＢＦタイプソケット端子１６２とＡタイププラグピン１６１とが、一体的に形成された部材であり、Ｏタイプソケット端子１５３が、平板形状のプラグピンを受容可能なＯタイプ間隙１８１を規定する２つのＯ対向部１８２と、２つのＯ対向部１８２の間を接続するＯ接続部１８３とを含む板バネであり、Ｏ接続部１８３が、第１方向（ｙ方向）と第２方向（ｘ方向）とに平行に広がる平板であり、基部１６０が、筐体１１０の一部に固定され、Ｏ接続部１８３が、第１方向（ｙ方向）と第２方向（ｘ方向）との両方に直交する第３方向（ｚ方向）において、筐体１１０の一部と基部１６０との間で基部１６０から受ける力により固定される。
【００８３】
この一態様の電源プラグ変換アダプター１００によれば、基部１６０とＢＦタイプソケット端子１６２とＡタイププラグピン１６１とが一体的に形成されるので、強固な構造とすることができる。さらに、Ｏタイプソケット端子１５３を基部１６０、ＢＦタイプソケット端子１６２、およびＡタイププラグピン１６１とは別の部品として、基部１６０と筐体１１０と間に固定するので、Ｏタイププラグピン５４１を抜き差しするときにＯタイプソケット端子１５３に加わる負荷が基部１６０に伝わりにくくすることができ、電源プラグ変換アダプター１００全体の強度を高めることができる。
【００８４】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００８５】
本発明は、複数の規格の電源プラグを変換する種々の電源プラグ変換アダプターに適用可能である。
【符号の説明】
【００８６】
１００…電源プラグ変換アダプター、１１０…筐体、１１５…収容部、
１１６…ソケット面、１１７…仮想中心線、１２１…ＢＦタイプソケット孔（ＢＦ孔）、
１２２…Ｏタイプソケット孔（Ｏ孔）、１２３…マルチタイプソケット孔（Ｍ孔）、
１２４…第１ダミー孔、１２５…第２ダミー孔、１５０…導電体、
１５２…マルチタイプソケット端子（Ｍ端子）、
１５３…Ｏタイプソケット端子（Ｏ端子）、１６０…基部、
１６１…Ａタイププラグピン（Ａピン）、
１６２…ＢＦタイプソケット端子（ＢＦ端子）、
１６４…ＢＦ対向部、１６５…ＢＦ間隙、１７１…マルチタイプ間隙、
１７２…マルチタイプ対向部、１７３…第１Ｍ接続部、１８１…Ｏタイプ間隙、
１８２…Ｏ対向部、１８３…Ｏ接続部
【図１】
2019129008.tif 000003
【図２】
2019129008.tif 000004
【図３】
2019129008.tif 000005
【図４】
2019129008.tif 000006
【図５】
2019129008.tif 000007
【図６】
2019129008.tif 000008